(57)【要約】【課題】  この発明は、操作を容易にし、より使いやすい画像表示装置および電子番組表表示装置を提供することを目的としている。【解決手段】  記憶媒体に記憶されている画像データを受信する手段（６０、６２）と、受信された画像データの表示順序を決定する手段（５６）と、決定された表示順序に基づいて前記画像データを表示する手段（１４）と、表示順序における最初の画像データの表示が指示されたかを判別する手段（５６）と、最初の画像データの表示が指示されたと判別された場合は前記最初の画像データを含む画像データを表示する手段（１４）とを備えるようにしている。【選択図】    図５
2006129241.tif 000002
【特許請求の範囲】
【請求項１】
記憶媒体に記憶されている画像データを受信して表示する画像表示装置において、
記憶媒体に記憶されている画像データを受信する画像データ受信手段と、
前記受信された画像データの表示順序を決定する表示順序決定手段と、
前記決定された表示順序に基づいて前記画像データを表示する画像データ表示手段と、
前記表示順序における最初の画像データの表示が指示されたかを判別する判別手段と、
前記最初の画像データの表示が指示されたと判別された場合は前記最初の画像データを含む画像データを表示する表示手段とを備えることを特徴とする画像表示装置。
【請求項２】
番組情報を受信して電子番組表を表示する電子番組表表示装置において、
番組情報を受信して電子番組表を表示する電子番組表表示表示手段と、
前記表示された電子番組表の制御が指示される第１の指示キーと、
記憶媒体に記憶されている画像データを受信する画像データ受信手段と、
前記受信された画像データの表示順序を決定する表示順序決定手段と、
前記決定された表示順序に基づいて前記画像データを表示する画像データ表示手段と、
前記表示順序における最初の画像データの表示が指示される前記第１の指示キーとは別に設けられる第２の指示キーと、
前記表示順序における最初の画像データの表示が前記第２の指示キーによって指示されたかを判別する判別手段と、
前記最初の画像データの表示が指示されたと判別された場合は前記最初の画像データを含む画像データを表示する表示手段とを備えることを特徴とする電子番組表表示装置。
【請求項３】
記憶媒体に記憶されている画像データを受信して表示する画像表示装置において、
記憶媒体に記憶されている画像データを受信する画像データ受信手段と、
前記受信された画像データの表示順序を決定する表示順序決定手段と、
前記決定された表示順序に基づいて前記画像データを表示する画像データ表示手段と、
前記表示順序における最後の画像データの表示が指示されたかを判別する判別手段と、
前記最後の画像データ表示が指示されたと判別された場合は前記最後の画像データを含む画像データを表示する表示手段とを備えることを特徴とする画像表示装置。
【請求項４】
番組情報を受信して電子番組表を表示する電子番組表表示装置において、
番組情報を受信して電子番組表を表示する電子番組表表示表示手段と、
前記表示された電子番組表の制御が指示される第１の指示キーと、
記憶媒体に記憶されている画像データを受信する画像データ受信手段と、
前記受信された画像データの表示順序を決定する表示順序決定手段と、
前記決定された表示順序に基づいて前記画像データを表示する画像データ表示手段と、
前記表示順序における最初の画像データの表示が指示される前記第１の指示キーとは別に設けられる第２の指示キーと、
前記表示順序における最後の画像データの表示が前記第２の指示キーによって指示されたかを判別する判別手段と、
前記最後の画像データの表示が指示されたと判別された場合は前記最後の画像データを含む画像データを表示する表示手段とを備えることを特徴とする電子番組表表示装置。
【請求項５】
前記第１の指示キーと前記第２の指示キーは並べて設けられることを特徴とする請求項２または４に記載の電子番組表表示装置。
【請求項６】
記憶媒体に記憶されている画像データを受信するステップと、
前記受信された画像データの表示順序を決定するステップと、
前記決定された表示順序に基づいて前記画像データを表示するステップと、
前記表示順序における最初の画像データの表示が指示されたかを判別するステップと、
前記最初の画像データの表示が指示されたと判別された場合は前記最初の画像データを含む画像データを表示するステップとを備えることを特徴とする画像表示方法。
【請求項７】
番組情報を受信して電子番組表を表示するステップと、
前記表示された電子番組表の制御が指示される第１のステップと、
記憶媒体に記憶されている画像データを受信するステップと、
前記受信された画像データの表示順序を決定するステップと、
前記決定された表示順序に基づいて前記画像データを表示するステップと、
前記表示順序における最初の画像データの表示が指示される前記第１のステップとは別の第２のステップと、
前記表示順序における最初の画像データの表示が前記第２のステップによって指示されたかを判別するステップと、
前記最初の画像データの表示が指示されたと判別された場合は前記最初の画像データを含む画像データを表示するステップとを備えることを特徴とする電子番組表表示方法。
【請求項８】
記憶媒体に記憶されている画像データを受信するステップと、
前記受信された画像データの表示順序を決定するステップと、
前記決定された表示順序に基づいて前記画像データを表示するステップと、
前記表示順序における最後の画像データの表示が指示されたかを判別するステップと、
前記最後の画像データ表示が指示されたと判別された場合は前記最後の画像データを含む画像データを表示するステップとを備えることを特徴とする画像表示方法。
【請求項９】
番組情報を受信して電子番組表を表示するステップと、
前記表示された電子番組表の制御が指示される第１のステップ、
記憶媒体に記憶されている画像データを受信するステップと、
前記受信された画像データの表示順序を決定するステップと、
前記決定された表示順序に基づいて前記画像データを表示するステップと、
前記表示順序における最初の画像データの表示が指示される前記第１のステップとは別の第２のステップと、
前記表示順序における最後の画像データの表示が前記第２のステップによって指示されたかを判別するステップと、
前記最後の画像データの表示が指示されたと判別された場合は前記最後の画像データを含む画像データを表示するステップとを備えることを特徴とする電子番組表表示方法。
【発明の詳細な説明】
【技術分野】
【０００１】
この発明は、記録媒体に記録されている画像データを表示する画像表示装置および電子番組表表示装置に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（Hard Disk Drive）のような大容量のデジタル記録機器を接続することにより、受信した番組をデジタル記録したり、記録した番組を再生したりすることが可能となっている。
【０００４】
さらに、現在では、１台のデジタル放送受信装置に対して、複数のデジタル記録機器を接続してネットワーク化することにより、デジタル放送受信装置が、任意のデジタル記録機器を指定して番組の記録を行なわせたり、任意のデジタル記録機器を指定して番組の再生を行なわせたりすることができる。
【０００５】
特許文献１には、リモコンにより操作するグラフィックユーザーインタフェース（ＧＵＩ）画面の設計の自由度を高めると共に、ユーザーの操作を簡易化し得るリモコンシステムが開示される。  
特許文献２には、複数の操作ボタンを不要にするとともに、複数の操作対象を手指１本で円滑に操作できるようにして、操作性の向上と装置の小型化を図ったポインティング入力装置及びこの入力装置を備えた電子機器が開示される。
【特許文献１】特開２０００−１１２６１４号公報
【特許文献２】特開平９−１３４２４８号公報
【発明の開示】
【発明が解決しようとする課題】
【０００６】
ところで、このように、複数のデジタル記録機器をネットワーク接続可能としたデジタル放送受信装置においては、各デジタル記録機器に記録されている番組をユーザが容易に管理することができ、所望の記録番組を迅速に検索して再生できるようにすることが重要となる。
【０００７】
このために上記のように複数のデジタル記録機器（所謂外部機器）をネットワーク接続可能としたデジタル放送受信装置においては、受信装置に接続されている外部機器を、受信装置の画面を見ながら、制御できるようにすることが望まれる。この要望を達成するために、受信装置の画面に所謂操作パネルと言うグラフィカル・ユーザ・インターフェース（ＧＵＩ）が表示される。ユーザは、操作パネルを見ながらリモートコントローラを操作する。ユーザは、カーソルキーを操作し、画面上のカーソルを、画面上の所望の操作キー上に移動させ、決定キーを操作する。これにより、所望の動作モードが受信装置及び外部機器に設定される。
【０００８】
しかしながら、ＧＵＩを表示しリモートコントローラを操作する場合、カーソルキーの操作によるカーソル移動、決定キーの操作という段階的な操作が必要であるために、操作が煩雑である。特に、番組表などのアプリケーションやＨＤＤ（ハードディスクドライブ）へのデジタル録画など、ユーザインタフェースは近年の放送受信機の多機能化と相俟ってますます複雑になってきている。これに対して既存の装置では、リモコンのカーソルボタン、決定ボタン、戻るボタンを基本とする操作に留まり、近年の複雑なインタフェースに対しては非力になってきていると言わざるを得ない。  
この発明は上記事情を考慮してなされたもので、その目的は、操作を容易にし、より使いやすい画像表示装置および電子番組表表示装置を提供することを目的とする。
【課題を解決するための手段】
【０００９】
この発明に係る画像表示装置は、記憶媒体に記憶されている画像データを受信する画像データ受信手段と、前記受信された画像データの表示順序を決定する表示順序決定手段と、前記決定された表示順序に基づいて前記画像データを表示する画像データ表示手段と、前記表示順序における最初の画像データの表示が指示されたかを判別する判別手段と、前記最初の画像データの表示が指示されたと判別された場合は前記最初の画像データを含む画像データを表示する表示手段とを備えるように構成している。
【００１０】
またこの発明に係る電子番組表表示装置は、番組情報を受信して電子番組表を表示する電子番組表表示表示手段と、前記表示された電子番組表の制御が指示される第１の指示キーと、記憶媒体に記憶されている画像データを受信する画像データ受信手段と、前記受信された画像データの表示順序を決定する表示順序決定手段と、前記決定された表示順序に基づいて前記画像データを表示する画像データ表示手段と、前記表示順序における最初の画像データの表示が指示される前記第１の指示キーとは別に設けられる第２の指示キーと、前記表示順序における最初の画像データの表示が前記第２の指示キーによって指示されたかを判別する判別手段と、前記最初の画像データの表示が指示されたと判別された場合は前記最初の画像データを含む画像データを表示する表示手段とを備えることを特徴とする。
【発明の効果】
【００１１】
この発明によれば、操作を容易にし、より使いやすい画像表示装置および電子番組表表示装置を提供することができる。
【発明を実施するための最良の形態】
【００１２】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１３】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１４】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１５】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１６】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１７】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１８】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことが可能となる。
【００１９】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２０】
なお、ＤＶＤレコーダ２９については、第２のＬＡＮ端子２２を介して通信されるデジタル情報が制御系の情報であるため、デジタルテレビジョン放送受信装置１１との間でアナログの映像及び音声情報を伝送するために、専用のアナログ伝送路３０を設ける必要がある。
【００２１】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２２】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等を接続し、これらの機器と情報伝送を行なうために使用される。
【００２３】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２４】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２５】
そして、このチューナ４５で選局された放送信号は、ＰＳＫ（Phase Shift Keying）復調器４６に供給されて、デジタルの映像信号及び音声信号に復調された後、信号処理部４７に出力される。
【００２６】
また地上波アナログ信号を受信するアナログチューナ６８も設けられている。アナログチューナ６８で受信された信号は、アナログ復調器６９で復調され信号処理部４７に出力される。
【００２７】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２８】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２９】
ここで、上記信号処理部４７は、ＰＳＫ復調器４６から供給されたデジタルの映像信号及び音声信号と、ＯＦＤＭ復調器５１から供給されたデジタルの映像信号及び音声信号と、アナログ復調器６９から供給された映像信号及び音声信号と、さらにライン入力端子からの映像信号及び音声信号とに対して、選択的に所定のデジタル信号処理を施し、グラフィック処理部５２及び音声処理部５３に出力している。
【００３０】
このうち、グラフィック処理部５２は、信号処理部４７から供給されるデジタルの映像信号に、ＯＳＤ（On Screen Display）信号生成部５４出生成されるＯＳＤ信号を重畳して出力する機能を有する。また、このグラフィック処理部５２は、信号処理部４７の出力映像信号と、ＯＳＤ信号生成部５４の出力ＯＳＤ信号とを選択的に出力すること、また、両出力をそれぞれ画面の半分を構成するように組み合わせて出力することができる。
【００３１】
そして、グラフィック処理部５２から出力されたデジタルの映像信号は、映像処理部５５に供給される。この映像処理部５５は、入力されたデジタルの映像信号を、前記映像表示器１４で表示可能なフォーマットのアナログ映像信号に変換し、映像表示器１４に出力して映像表示させる。
【００３２】
また、上記音声処理部５３は、入力されたデジタルの音声信号を、前記スピーカ１５で再生可能なフォーマットのアナログ音声信号に変換し、スピーカ１５に出力して音声再生させる。
【００３３】
ここで、このデジタルテレビジョン放送受信装置１１は、上記した各種の受信動作を含むその全ての動作を制御部５６によって統括的に制御されている。この制御部５６は、ＣＰＵ（Central Processing Unit）等を内蔵しており、前記操作部１６からの操作情報を受け、または、リモートコントローラ１７から送出された操作情報を、前記受光部１８を介して受信し、その操作内容が反映されるように各部をそれぞれ制御している。
【００３４】
この場合、制御部５６は、主として、そのＣＰＵが実行する制御プログラムを格納したＲＯＭ（Read Only Memory）５７と、該ＣＰＵに作業エリアを提供するＲＡＭ（Random Access Memory）５８と、各種の設定情報及び制御情報等が格納される不揮発性メモリ５９
とを利用している。
【００３５】
また、この制御部５６は、カードＩ／Ｆ（Interface）６０を介して、前記第１のメモリカード１９が装着可能なカードホルダ６１に接続されている。これによって、制御部５６は、カードホルダ６１に装着された第１のメモリカード１９と、カードＩ／Ｆ６０を介して情報伝送を行なうことができる。
【００３６】
さらに、上記制御部５６は、カードＩ／Ｆ６２を介して、前記第２のメモリカード２０が装着可能なカードホルダ６３に接続されている。これにより、制御部５６は、カードホルダ６３に装着された第２のメモリカード２０と、カードＩ／Ｆ６２を介して情報伝送を行なうことができる。
【００３７】
また、上記制御部５６は、通信Ｉ／Ｆ６４を介して第１のＬＡＮ端子２１に接続されている。これにより、制御部５６は、第１のＬＡＮ端子２１に接続されたＬＡＮ対応のＨＤＤ２５と、通信Ｉ／Ｆ６４を介して情報伝送を行なうことができる。この場合、制御部５６は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００３８】
さらに、上記制御部５６は、通信Ｉ／Ｆ６５を介して第２のＬＡＮ端子２２に接続されている。これにより、制御部５６は、第２のＬＡＮ端子２２に接続された各機器（図１参照）と、通信Ｉ／Ｆ６５を介して情報伝送を行なうことができる。
【００３９】
また、上記制御部５６は、ＵＳＢ Ｉ／Ｆ６６を介して前記ＵＳＢ端子２３に接続されている。これにより、制御部５６は、ＵＳＢ端子２３に接続された各機器（図１参照）と、ＵＳＢ Ｉ／Ｆ６６を介して情報伝送を行なうことができる。
【００４０】
さらに、上記制御部５６は、ｉ．Link Ｉ／Ｆ６７を介してｉ．Link端子２４に接続されている。これにより、制御部５６は、ｉ．Link端子２４に接続された各機器（図１参照）と、ｉ．Link Ｉ／Ｆ６７を介して情報伝送を行なうことができる。
【００４１】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ等が設けられている。
【００４２】
図４は、この発明の実施の形態にかかるデジタルテレビジョン放送受信装置１１に表示される電子番組表の一例を示す図である。この電子番組表は、水平方向に６つの放送局（チャンネル）を配列し、垂直方向に５時間分の時間枠を配列して、番組を表示している。
【００４３】
そして、この電子番組表は、リモートコントローラ１７のカーソルキー１７ｆ（第１のキー）を操作することにより、上下左右方向に選択的にスクロールさせることが可能である。また、リモートコントローラ１７のページ切換キー１７ｉ（第２のキー）を操作することにより、１画面分の電子番組表を上下左右方向に選択的にスキップさせたり、後述するように画像データを表示する際に、表示順序における「最初の画像データ」や「最後の画像データ」へスキップさせることができる。
【００４４】
図５は、この発明の実施の形態における最初の画像データを含む複数の画像データを表示する例を示す図である。
【００４５】
制御部５６は、例えば第１のメモリカード１９や第２のメモリカード２０等の記憶媒体に記憶されている画像データを、カードＩ／Ｆ６０、カードＩ／Ｆ６２を介して受信する。そして、例えばそれぞれ画像データに付与された日時等のデータに基づいて各画像データの表示順序を決定する。そして、決定された表示順序に基づいて、映像表示器１４に各画像データを表示する。上記決定された表示順序は、例えば図５に示すように、各画像データに番号を付している。ここでは、番号１から番号１０までの１０個の画像データが表示されている。図５では画像データを写真と説明しているが、これにとらわれるものではなく、静止画でもよいし、動画でもよい。
【００４６】
符号１００を付した「最初へ」の表示は、ページ切換キー１７ｉ（第２のキー）の左向きのキーと対応していることを示している。
【００４７】
制御部５６は、上記のように、図３に示すリモコンのリモートコントローラ１７のページ切換キー１７ｉ（第２のキー）がユーザによって操作される（操作部１６）と、この指示が制御部５６へ送られ、表示順序における「最初の画像データ」の表示が指示されたかを判別する（判別手段）。そして、「最初の画像データ」の表示が指示されたと判別した場合は、図５に示すように、上記表示順序における「最初の画像データ」を含む画像データを表示する（表示手段）。
【００４８】
図６は、この発明の実施の形態における複数の画像データを表示する例を示す図である。
【００４９】
ここでは、決定された表示順序に基づいて、映像表示器１４に、番号２１から番号３０までの１０個の画像データが表示されている。
【００５０】
そして、例えば、ページ切換キー１７ｉ（第２のキー：符号１００を付した「最初へ」の左向きのキー表示）がユーザによって操作されると、図５に示す「最初の画像データ」を含む画像データへスキップして、これを表示する。
【００５１】
また、次に説明するように、例えば、ページ切換キー１７ｉ（第２のキー：符号２００を付した「最後へ」の右向きのキー表示）がユーザによって操作されると、図７に示す「最後の画像データ」を含む画像データへスキップして、これを表示する。
【００５２】
図７は、この発明の実施の形態における最後の画像データを含む複数の画像データを表示する例を示す図である。
【００５３】
符号２００を付した「最後へ」の表示は、ページ切換キー１７ｉ（第２のキー）の右向きのキーと対応していることを示している。
【００５４】
制御部５６は、上記のように、図３に示すリモコンのリモートコントローラ１７のページ切換キー１７ｉ（第２のキー）がユーザによって操作される（操作部１６）と、この指示が制御部５６へ送られ、表示順序における「最後の画像データ」の表示が指示されたかを判別する（判別手段）。そして、「最後の画像データ」の表示が指示されたと判別した場合は、図７に示すように、上記表示順序における「最後の画像データ」を含む画像データへスキップして、これを表示する（表示手段）。
【００５５】
図８は、この発明の実施の形態における単数の画像データを表示する例を示す図である。
【００５６】
上記と複数の画像データを表示する例と同様に、ページ切換キー１７ｉ（第２のキー：符号１００を付した「最初へ」の左向きのキー表示）がユーザによって操作されると、「最初の画像データ」を含む画像データへスキップして、これを表示する。このとき表示される画像データは「最初の画像データ」を含んでいれば単数でもよいし、複数でもよい。
【００５７】
また、ページ切換キー１７ｉ（第２のキー：符号２００を付した「最後へ」の右向きのキー表示）がユーザによって操作されると、図７に示す「最後の画像データ」を含む画像データへスキップして、これを表示する。このとき表示される画像データは「最後の画像データ」を含んでいれば単数でもよいし、複数でもよい。
【００５８】
図９は、この発明の実施の形態における最初の画像データを含む画像データを表示する動作を示すフローチャートである。
【００５９】
符号Ｓ１１はここでの開始ステップである。続いて符合Ｓ１２を付したステップへ進む。
【００６０】
ステップＳ１２は画像データ（写真（静止画でも動画でもよい））の再生指示を受信するステップである。続いて符合Ｓ１３を付したステップへ進む。
【００６１】
ステップＳ１３は画像データ（写真（静止画でも動画でもよい））の再生表示（単数でも複数でもよい）を実施するステップである。続いて符号Ｓ１４を付したステップへ進む。
【００６２】
ステップＳ１４は「最初の画像データ（最初の写真）」の表示が指示されたか否かを判断するステップである。「最初の画像データ（最初の写真）」の表示が指示されたと判断された場合は符号Ｓ１５を付したステップへ進む（Ｙｅｓ）。「最初の画像データ（最初の写真）」の表示が指示されたと判断されない場合は符号Ｓ１２を付したステップへ進み、上記処理が繰り返される（Ｎｏ）。
【００６３】
ステップＳ１５は「最初の画像データ（最初の写真）」を含む画像データを表示するステップである。続いて符号Ｓ１６を付したステップへ進む。
【００６４】
ステップＳ１６は終了ステップであり、ここでの処理は終了する。
【００６５】
図１０は、この発明の実施の形態における最後の画像データを含む画像データを表示する動作を示すフローチャートである。
【００６６】
符号Ｓ２１はここでの開始ステップである。続いて符合Ｓ２２を付したステップへ進む。
【００６７】
ステップＳ２２は画像データ（写真（静止画でも動画でもよい））の再生指示を受信するステップである。続いて符合Ｓ２３を付したステップへ進む。
【００６８】
ステップＳ２３は画像データ（写真（静止画でも動画でもよい））の再生表示（単数でも複数でもよい）を実施するステップである。続いて符号Ｓ２４を付したステップへ進む。
【００６９】
ステップＳ２４は「最後の画像データ（最後の写真）」の表示が指示されたか否かを判断するステップである。「最後の画像データ（最後の写真）」の表示が指示されたと判断された場合は符号Ｓ２５を付したステップへ進む（Ｙｅｓ）。「最後の画像データ（最後の写真）」の表示が指示されたと判断されない場合は符号Ｓ２２を付したステップへ進み、上記処理が繰り返される（Ｎｏ）。
【００７０】
ステップＳ２５は「最後の画像データ（最後の写真）」を含む画像データを表示するステップである。続いて符号Ｓ２６を付したステップへ進む。
【００７１】
ステップＳ１６は終了ステップであり、ここでの処理は終了する。
【００７２】
このように構成することによって、ユーザ操作をより容易にし、使いやすい画像表示装置および電子番組表表示装置を提供することができる。
【００７３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除してもよいものである。さらに、異なる実施の形態に係る構成要素を適宜組み合わせてもよいものである。
【図面の簡単な説明】
【００７４】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置に表示される電子番組表の一例を示す図
【図５】同実施の形態における最初の画像データを含む複数の画像データを表示する例を示す図。
【図６】同実施の形態における複数の画像データを表示する例を示す図。
【図７】同実施の形態における最後の画像データを含む複数の画像データを表示する例を示す図。
【図８】同実施の形態における単数の画像データを表示する例を示す図。
【図９】同実施の形態における最初の画像データを含む画像データを表示する動作を示すフローチャート。
【図１０】同実施の形態における最後の画像データを含む画像データを表示する動作を示すフローチャート。
【符号の説明】
【００７５】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ、６５…カードＩ／Ｆ、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ。
【図１】
2006129241.tif 000003
【図２】
2006129241.tif 000004
【図３】
2006129241.tif 000005
【図４】
2006129241.tif 000006
【図５】
2006129241.tif 000007
【図６】
2006129241.tif 000008
【図７】
2006129241.tif 000009
【図８】
2006129241.tif 000010
【図９】
2006129241.tif 000011
【図１０】
2006129241.tif 000012